(57)【要約】本開示の例は、並列ハイブリッド園芸システムのためのシステム及び方法に関する。より端的には、実施形態は、定電圧及び定電流モードの両方で動作するように構成された定電力（ＣＰ）電源の利用を開示し、最大電流及び最大電圧状態がプログラムされる。
2020523741.tif 000002
【特許請求の範囲】
【請求項１】
お互いに並列に配置された複数の発光ダイオードのストリングにして、複数の発光ダイオードを含む複数の発光ダイオードのストリングと、
ある期間で定電圧モード又は定電流モードで動作するように構成された定電源にして、前記複数の発光ダイオードのストリングに電力を供給するように構成された定電源を備えるハイブリッド園芸システム。
【請求項２】
前記定電源は、事前設定された最大電圧を有する、請求項１に記載のハイブリッド園芸システム。
【請求項３】
前記定電源は、事前設定されたＬＥＤストリング電圧よりも大きい前記定電源からの供給電圧に応答して、前記定電流モードから前記定電圧モードに切り替わるように構成される、請求項２に記載のハイブリッド園芸システム。
【請求項４】
前記定電源は、定電流セットポイントを有するように事前にプログラムされ、定電流セットポイントに関連の第１電流レベルは、最大電流セットポイントに関連の第２電流レベル未満である、請求項３に記載のハイブリッド園芸システム。
【請求項５】
前記最大電流セットポイントは、前記事前設定された最大電圧に関連する、請求項４に記載のハイブリッド園芸システム。
【請求項６】
前記定電源は、前記定電流モードにおける前記定電流セットポイントで電流を供給する、請求項４に記載のハイブリッド園芸システム。
【請求項７】
前記定電源及び複数のライトバーストリングの間に位置づけられたパルス幅変調器を更に備える、請求項１に記載のハイブリッド園芸システム。
【請求項８】
前記パルス幅変調器は、Ｈ信号及びＬ信号の間で変化する矩形波をある周波数及び持続期間で制御及び生成するように構成され、前記周波数は、２ミリ秒よりも速い、請求項７に記載のハイブリッド園芸システム。
【請求項９】
前記複数の発光ダイオードのストリング内の複数の発光ダイオードは、Ｈ信号とＬ信号の時間量の比に基づいて減光して見える、請求項８に記載のハイブリッド園芸システム。
【請求項１０】
前記定電源は、定電流モードに初期設定される、請求項１に記載のハイブリッド園芸システム。
【請求項１１】
複数の発光ダイオードのストリングをお互いに並列に配置する工程にして、複数の発光ダイオードのストリングが複数の発光ダイオードを含む、工程；
前記複数の発光ダイオードのストリングに定電源を介して電力を供給する工程を含み、
前記定電源は、ある期間で定電圧モード又は定電流モードで動作するように構成される、ハイブリッド園芸システムのための方法。
【請求項１２】
前記定電源が前記定電流モードで動作する時のために前記定電源について事前設定された最大電圧を設定する工程を更に含み、前記事前設定された最大電圧は、前記複数の発光ダイオードのストリングの過電圧状態に関する、請求項１１に記載の方法。
【請求項１３】
前記事前設定された最大電圧よりも大きい前記定電源からの供給電圧に応答して前記定電流モードから前記定電圧モードに前記定電源を切り替える工程を更に含む、請求項１２に記載の方法。
【請求項１４】
定電流セットポイントを有するように前記定電源を事前にプログラムする工程を更に含み、
前記定電流セットポイントに関連の第１電流レベルは、最大電流セットポイントに関連の第２電流レベル未満である、請求項１３に記載の方法。
【請求項１５】
前記最大電流セットポイントは、前記事前設定された最大電圧に関連する、請求項１４に記載の方法。
【請求項１６】
前記定電源は、前記定電流モードにおける前記定電流セットポイントで電流を供給する、請求項１４に記載の方法。
【請求項１７】
前記定電源及び複数のライトバーストリングの間にパルス幅変調器を位置づける工程を更に含み、前記パルス幅変調器は、前記定電源が前記定電圧モードで動作する時に動作するように構成される、請求項１１に記載の方法。
【請求項１８】
Ｈ信号及びＬ信号の間で変化する矩形波をある周波数及び持続期間で、前記パルス幅変調器を介して生成する工程を更に含み、前記周波数は、２ミリ秒よりも速い、請求項１７に記載の方法。
【請求項１９】
Ｈ信号とＬ信号の時間量の比に基づいて、前記複数の発光ダイオードのストリング内の複数の発光ダイオードを減光する工程を更に含む、請求項１８に記載の方法。
【請求項２０】
前記定電源を定電流モードに初期設定する工程を更に含む、請求項１１に記載の方法。
【発明の詳細な説明】
【技術分野】
【０００１】
（関連出願の参照）本出願は、２０１７年６月７日に出願された米国仮出願番号Ｎｏ．６２／５１６，４６２と２０１７年８月３１日に出願された継続出願１５／６９２，５４０に基づく３５Ｕ．Ｓ．Ｃ．１１９の優先権を主張し、その内容は、その全体において参照により組み込まれる。
【０００２】
本開示の例が、並列ハイブリッド園芸システム（paralleled hybrid horticulture system）のためのシステム及び方法に関する。より端的には、実施形態は、定電圧又は定電流モードで動作するように構成された定電力（ＣＰ（constant power））電源を利用することを開示し、最大電流及び最大電圧状態が、ＬＥＤバーの特性に基づいてプログラムされ得る。
【背景技術】
【０００３】
在来型のＬＥＤは、電子から光子への変換を介して光を放出する。電子の速度（電流）が増加すると、放射される光子（放射光束（radiometric flux））の数が比例して増加する。ＬＥＤは、（電子光子変換）１００％効率ではないため、熱が、電流の関数として比例して増加する。極度の電流で、ＬＥＤの量子井戸が飽和することがあり、従って、より大きな電流は、より小さい光出力に帰結する。ＬＥＤのＩＶ曲線は、ＬＥＤを介する電圧と電流の間の直接的な相関を可能にする。ＩＶ曲線に基づいて、ＬＥＤは、過電圧状態を検知することができる。過電圧状態において、回路の電圧が、その設計上の上限を超えるまで上昇する。
【０００４】
電圧が電流の関数であるため、上述の設計限界を超えるサージ電圧は、続いて、ＬＥＤを流れる電流を、設計限界を超えるまで押し上げる。装置に見積もられたもの以上の過電圧状態を生成するサージ電圧によって電気機器に相当な損害が生じる。例えば、過電圧／電流が生じると、ＬＥＤは、回路の断線（ワイヤーボンド破断、配線消失）及び過加熱（熱の関数としての材質変化）のために動作を停止し得る。
【０００５】
従来、照明器具は、定電流（ＣＣ（constant current））電源に並列に結合された複数のＬＥＤストリング（LED strings（ＬＥＤ列））を含む。ＣＣ電源を利用すると、ＬＥＤストリングの順方向電圧に基づいて個々のＬＥＤストリングに均一に電流が分配される。ＬＥＤストリングの順方向電圧が不変であるため、個々のＬＥＤストリングに加えられる電流も不変である。
【０００６】
しかしながら、ＣＣ電源に結合したＬＥＤストリングの数が、単一のＬＥＤストリングの如く所定閾値未満に低下すると、単一ＬＥＤストリングにＣＣ電源からの全電流が流れてしまう。これにより単一のＬＥＤストリングが過剰に駆動され、過剰に発熱し、早期に作動しなくなる。
【０００７】
従って、定電流及び／又は定電源を利用する並列ハイブリッド園芸システムのためのより効果的及び効率的なシステム及び方法の必要性がある。
【発明の概要】
【課題を解決するための手段】
【０００８】
本開示の例は、並列ハイブリッド園芸システムのためのシステム及び方法に関する。より端的には、実施形態は、定電圧モード及び定電流モードの両方で動作するように構成された定電力（ＣＰ）電源の利用を開示し、最大電流及び最大電圧状態が、ＬＥＤストリングの順方向電圧に基づいてプログラムされる。実施形態において、定電流セットポイント及び定電圧セットポイントが、各ＬＥＤストリングに亘る順方向電圧及び順方向電流に基づいて個別に決定され得る。
【０００９】
第１実施形態は、並列に配置された複数のＬＥＤ回路に結合した定電圧電源を含み得る。ＬＥＤ回路は、直列接続の複数のＬＥＤ及び定電流（ＣＣ）ドライバーを含み得る。並列に配置されたＬＥＤ回路の数の増加又は減少に応じて、定電流ドライバーは、対応のＬＥＤ回路らに適用される定電流を維持し得る。
【００１０】
第２実施形態は、並列に配置された複数のＬＥＤ回路に結合した定電圧電源を含み得る。ＬＥＤ回路は、直列接続の抵抗器及びＬＥＤストリングを含み得、複数のＬＥＤ回路が、お互いに並列に配置される。ＬＥＤ回路内の抵抗器は、対応のＬＥＤ回路に適用される電流を制限するように構成され得る。実施形態においては、直列接続の複数のＬＥＤを流れる電流が、抵抗器のサイズによって制御される。実施形態においては、ＬＥＤ回路内の各抵抗器は、同一及び又は同等のサイズから成り得る。
【００１１】
第３実施形態は、複数のＬＥＤストリングに結合して定電源を含み得る。定電源は、定電流（ＣＣ）モードにおいて初期動作するように構成され、過電圧保護状態の時に定電圧（ＣＶ）モードに切り替わる。この実施形態において、ＬＥＤストリングの順方向電圧は、設計上の最大出力順方向電圧よりも低く構成され得、また、定電源は、定電流モードにおいて初期動作し得る。ＬＥＤストリングの数の低下に応答して、ＬＥＤストリングに流れる電流は、ＬＥＤストリングの順方向出力電圧に基づく過電圧状態まで増加し得る。過電圧状態になる時、電源は、ＬＥＤストリングに電流が更に流れることを許容しないこともあり、電源が定電圧モードに切り替わり得る。ＬＥＤストリングのＩＶ曲線が不変であるため、ＬＥＤストリングへの過電流制限は、ＬＥＤストリングの特性に基づいて個別調整され得る。
【００１２】
より少数の構成要素とすることでＬＥＤバーの構造を簡素化するように実施形態が構成され得、切断し得る構成要素とより少数の構成要素の間のより少数の接続に起因して信頼性が高くなる。加えて、労働、開発、材料及び品質管理に関連するコストが低減し得る。
【００１３】
これら及び他の本発明の側面が、次の記述及び添付図面を併せて考える時により良く理解される。次の記述は、本発明の様々な実施形態及びその多数の特定の詳細を示すものであるが、説明のためのものであり、限定のものではない。多数の代替、変更、追加又は再構成が、本発明の精神内において為すことができ、本発明は、そのような全ての代替、変更、追加又は再構成を包含する。
【図面の簡単な説明】
【００１４】
本発明の非限定及び非網羅的な実施形態が次の図面を参照して記述され、そうでないことが示されない限り多種の図において同類の参照番号により同類の部材が参照される。
【００１５】
【図１】図１は、実施形態に係る並列ハイブリッド電力園芸システムを図示する。
【００１６】
【図２】図２は、実施形態に係る園芸システムを図示する。
【００１７】
【図３】図３は、実施形態に係る園芸システムを図示する。
【００１８】
【図４】図４は、実施形態に係る、ＬＥＤ回路の数が閾値未満に低下した園芸システムを図示する。
【００１９】
【図５】図５は、実施形態に係る園芸システムを図示する。
【００２０】
【図６】図６は、実施形態に係る園芸システムを図示する。
【００２１】
【図７】図７は、実施形態に係る、ＬＥＤ回路の数が閾値未満に低下した園芸システムを図示する。
【００２２】
【図８】図８は、実施形態に係る、代表的なＬＥＤの最大電圧に基づく最大電流セットポイント（set point）をプロットするグラフを図示する。
【００２３】
【図９】図９は、実施形態に係る、定電流又は定電力モードで動作するように構成された定電源を用いて過駆動状態を最小化するための方法を示す。
【００２４】
図面の幾つかのものに一貫して対応の参照記号が対応の構成要素を示す。当業者は、図面中の要素が簡潔さ及び明確さのために図示され、必ずしも縮尺して描かれていないことを理解するはずである。例えば、図中の幾つかの要素の寸法は、本開示の多様な実施形態の理解の改善を助けるため、他の要素と比べて誇張され得る。また、商業的に実施可能な実施形態において有用又は必要である汎用の熟知された要素は、本開示のこれらの様々な実施形態の図示の妨害の低減を促進する目的で、度々、図示されない。
【発明を実施するための形態】
【００２５】
以下の記述において、多数の特定の詳細事項が、本実施形態の完全な理解を提供するために説明される。しかしながら、本実施形態を実施するために特定の詳細事項を採用する必要がないことは、当業者には明らかであろう。他の場合、周知の材料又は方法は、本実施形態を不明確にすることを避けるために詳細に記述されない。
【００２６】
図１は、実施形態に係る並列ハイブリッド電力園芸システム１００を図示する。図１に図示のように、園芸システム１００は、ＣＶ電源１１０及びＬＥＤ回路１２０を含み得、ＬＥＤ回路１２０が、ＣＣドライバー１３０及びＬＥＤ１４０を含む。
【００２７】
ＣＶ電源１１０は、固定及び／又は一定の電圧を出力するように構成された電源であり得る。ＣＶ電源１１０は、ＬＥＤ１４０及びＬＥＤ回路１２０により生じる負荷に基づいて変化する電流を有するように構成され得る。ＣＶ電源１１０の固定電圧は、順方向電圧とＬＥＤ回路１２０により生じる負荷に基づいて設定され得る。
【００２８】
ＬＥＤ回路１２０は、お互いに、またＣＶ電源１２０に対して並列に結合され得る。各ＬＥＤ回路１２０は、対応のＣＣドライバー１３０及び直列に配置された複数のＬＥＤ１４０を含み得る。複数のＬＥＤ１４０は、同一及び／又は異なるＬＥＤであり得る。
【００２９】
ＣＣドライバー１３０は、定電流を出力するように構成された電気装置であり得る。ＣＣドライバー１３０は、ＬＥＤ１４０の故障を生じさせる高レベルの電流からＬＥＤ１４０を保護するように構成され得る。ＣＣドライバー１３０の固定の電流は、ＬＥＤ回路の所望の負荷に基づいて設定され得る。
【００３０】
ＬＥＤ１４０は、活性化される時に光を放射する発光ダイオードであり得る。適切な電圧がＬＥＤ１４０に加えられる時、ＬＥＤの電子が、光子の形態でエネルギーを放出する。ＬＥＤ１４０それぞれは、ＬＥＤが動作し、また園芸システム１００のための負荷を生成するために要求される順方向電圧を有し得る。
【００３１】
図２は、実施形態に係る園芸システム１００を図示する。図２に図示のように、園芸システム１００は、光ストリング閾値未満であるＬＥＤ回路１２０の数（一つ）を有し得る。ＬＥＤ回路１２０の数は、ＬＥＤ回路の故障、ＬＥＤ回路の除去等といった様々な理由から減少され得る。ＣＣドライバーの実施形態においては、ＣＶ電源１１０から引かれる負荷電流は、ＬＥＤ１４０により必要とされるものに基づき得る。ＣＣドライバー１３０は、回路を保護するように構成され得、ＬＥＤ１４０を過駆動させない。
【００３２】
実施形態においては、ＣＶ電源１１０は、一つ又は残りのＬＥＤ回路（群）１２０に定電圧を印加するように構成され、ＣＣドライバー１３０は、定電流でＬＥＤ１４０を駆動するように構成され得る。従って、ＬＥＤ１４０は、ＬＥＤ１４０を活性化するために電力閾値よりも高い電圧を有し得ず、また、ＬＥＤ１４０を過駆動しない所望の電流を常に有し得る。
【００３３】
図３は、実施形態に係る園芸システム３００を図示する。システム３００において図示された所定の要素は、上述されている。簡潔さのため、これらの要素の別の説明が省略される。
【００３４】
図３に図示のように、複数のＬＥＤ回路３１０は、お互いに並列に配置され得る。ＬＥＤ回路３１０のそれぞれは、抵抗器３２０及びＬＥＤストリング１４０を含む。抵抗器３２０は、ＬＥＤストリング１４０それぞれに加えられる電流を制限及び制御するように構成され得る。ＬＥＤ回路３１０の数が増加又は減少するに応じて、ＣＶ電源１１０は、システム３００に流れる電流を動的に変化し得る。実施形態においては、各ＬＥＤストリング１４０に亘るストリング電圧が、ＣＶ電源１１０により供給される固定電圧に実質的に一致され得る。従って、抵抗器３２０の大きさは、相対的に小さく維持され得、高い効率を有する。
【００３５】
図４に図示のように、園芸システム３００内のＬＥＤ回路３１０の数は、閾値未満に低下し得る。しかしながら、抵抗器３２０は、単一のＬＥＤ回路３１０に加えられる電流を制限するように構成され得る。実施形態においては、抵抗器３２０は、システム１００内のＬＥＤ回路３１０の数が閾値未満の時においても残りのＬＥＤストリング１４０が過駆動状態にならないサイズに設定され得る。
【００３６】
図５は、実施形態に係る園芸システム５００を図示する。システム５００において図示された所定の要素は、上述されている。簡潔さのため、これらのアイテムの別の説明が省略される。
【００３７】
図５に図示のように、パルス幅変調器（ＰＷＭ）５１０は、ＣＶ電源１１０及び抵抗器３２０の間に位置づけられるように構成され得る。ＰＷＭ５１０は、ある周波数及び持続期間の矩形波を制御及び生成するように構成され得る。これらの波形が、オフ及びオンに切り替えられる信号、又は、Ｈ（ハイ）及びＬ（ロー）信号を有するものとして用いられ得る。実施形態においては、ＰＷＭ５１０は、波形の周波数及びデューティーサイクルを変化し得、２ミリ秒（2 milli-seconds）といった、ヒトの目が差を言い分けられるよりも早い時間周期であり得る。信号の周波数と信号がオフ及び／又はオンレベルにある時間（デューティーサイクル）を変更することによって、ＬＥＤストリング１４０は、電圧信号のチョッピングを介して減光されるように見え得る。これは、ＬＥＤが発光している時のＨ及びＬ信号の間の比に基づき得る。
【００３８】
実施形態においては，ＰＷＭ５１０は、ＣＶ電源１１０が抵抗器３２０に定電圧を印加する時間量を限定するように構成され得る。ＬＥＤストリング１４０が電力を受ける時間の長さを制御することによって、ＬＥＤストリング１４０が減光されるように見え得る。例えば、矩形波が、時間の５０％でオンレベルにあり、時間の５０％でオフレベルにあるならば、ＬＥＤストリング１４０は、５０％減光されているように見え得る。代替として、矩形波が、時間の７０％でオンレベルにあり、時間の３０％でオフレベルにあるならば、ＬＥＤストリング１４０は、３０％減光されているように見え得る。ＬＥＤストリング１４０をより多く又はより少なく減光させるため、ＰＷＭ５１０により供給される波形がオフレベル又はオンレベルである時間量の比が、各々、増加又は減少され得る。
【００３９】
実施形態においては，ＰＷＭ５１０は、定電源が定電圧又は定電流モードで動作している時に定電源と共に動作するように構成され得る。
【００４０】
図６は、実施形態に係る園芸システム６００を図示する。システム６００において図示された所定の要素は、上述されている。簡潔さのため、これらの要素の別の説明が省略される。システム６００は、定電力（ＣＰ（Constant Power））電源６１０及びＬＥＤストリング６２０を含み得る。
【００４１】
ＣＰ電源６１０は、定電圧（ＣＶ）及び定電流（ＣＣ）モードの両方で動作するように構成された電源であり得、両方のＣＶ及びＣＣモードが過電流及び過電圧保護を有する。実施形態においては、ＣＰ電源６１０の順方向電圧が、ＬＥＤストリング６２０のものよりも僅かに高く、ＣＰ電源６１０は、はじめ、ＣＣモードで動作する。
【００４２】
図７に図示のように、園芸システム６００内のＬＥＤストリング６２０の数は、閾値未満に減少され得る。ＬＥＤストリング６２０の数を変化することによって、ＣＰ電源６００への負荷が動的に変化し得る。システム６００内のＬＥＤストリング６２０の数の低下に応答して、ＣＰ電源６１０は、残りのＬＥＤストリング６２０に所定の電流で電力を供給し得、ＬＥＤストリング６２０が過電圧状態になる。この点で、電源は、追加の電流が残りのＬＥＤストリング６２０に流れることを許容しない。ＣＰ電源６１０により供給される電圧の増加のため、ＣＰ電源６１０は、定電圧モードにモードを切り替え得る。
【００４３】
定電圧モードの間、ＣＰ電源６１０からの供給電圧は、ＬＥＤストリング６２０の過電圧状態未満の量にプログラムされ得る。しかしながら、ＬＥＤストリング６２０の数が閾値未満の時、システム１００上の負荷が減少するため、定電圧モードでＣＰ電源６１０により供給されるフローティング電流は、過電流状態よりも小さいままであり得る。
【００４４】
図８は、代表的なＬＥＤの最大電圧８１２に基づく最大電流セットポイント（set point）８１０をプロットするグラフ８００を図示する。ＬＥＤ６２０の直列ストリングは、ＬＥＤの数で電圧を乗算する。実施形態においては、ＣＰ電源６１０が定電流を提供する間、システム６００におけるＬＥＤストリング６２０の数を限定することに応答して、システム６００に残存する小数のＬＥＤストリング６２０に印加される電圧が増加する。しかしながら、電圧の増加は、残りのＬＥＤストリング６２０が過電圧状態にあるならば止み、ここで、ＣＰ電源は、定電圧モードに変更されている。
【００４５】
加えて、グラフ８００は、最大電流出力８１０により調整可能な定電流セットポイント８２０を図示する。定電流セットポイント８２０は、ＬＥＤストリング６２０の最大電圧８１２に基づくものであり得、定電流セットポイント８２０の電流は、最大電流セットポイント８１０の電流未満であり得る。ＬＥＤストリングの特性８３０に基づいて、ＣＰ電源６１０をプログラムし、またＬＥＤストリング６２０の最大電流及び最大電圧状態を設定できることにより、駆動電流及び最大ライトバー電流（maximum light bar current）の微調整がシステム６００に適用され得る。
【００４６】
図９は、実施形態に係る、定電流又は定電力モードで動作するように構成された定電源を用いて過駆動状態を最小化するための方法９００を示す。以下に提示した方法９００の動作は、説明のものであることが意図される。幾つかの実施形態においては、説明されていない１つ又は複数の追加の動作と共に、及び／又は、説明した１つ又は複数の動作無しで、方法９００が達成され得る。加えて、図９で図示され、以下に説明される方法９００の動作の順番が、限定するものと意図されない。
【００４７】
動作９１０で、定電源は、定電流モードで動作するように構成され、定電源が、複数のＬＥＤストリングの負荷に基づいて複数のＬＥＤストリングに動的な電圧で供給する。
【００４８】
動作９２０で、ＬＥＤストリングの数が減少し、対応して負荷を変更する。これによりＬＥＤストリングに供給される電圧の増加が生じ得る。
【００４９】
動作９３０で、定電源による供給電圧が増加し、事前にプログラムされた量に到達する。事前にプログラムされた量は、ＬＥＤストリングの過電圧状態に基づくものであり得る。
【００５０】
動作９４０で、事前にプログラムされた量に等しい又はそれよりも大きい電圧に応答して、定電源は、定電流モードから定電圧モードに動的及び自動的に変更し得る。
【００５１】
動作９５０で、定電源は、フローティング電流を有することによりＬＥＤストリングの過電圧状態未満の電圧を残りのＬＥＤストリングに供給し得る。定電源のフローティング電流が事前にプログラムされた電流量よりも大きくなるならば、定電源は、定電流モードに動的に復帰し得る。
【００５２】
現在、最も実用及び好適な実施と考えられるものに基づいて、説明のために詳細に本技術を記述したが、そのような詳細が、その目的だけのためのものであり、その技術が開示された実施に限定されず、逆に、添付請求項の精神及び範囲内の修正及び均等な構成も包含するように意図されていると理解される。例えば、本技術は、可能な範囲で、任意の実施の１つ又は複数の特徴は、任意の他の実施の１つ又は複数の特徴と組み合わせ可能であることを想定していると理解される。
【００５３】
「一つの実施形態」「実施形態」「一つの例」「例」への明細書を通じた参照は、実施形態又は例との関係で記述された特定の特徴、構造又は特性が、本発明の少なくとも一つの実施形態に含まれることを意味する。従って、本明細書の様々な箇所における「一つの実施形態」「実施形態」「一つの例」又は「例」というフレーズの登場は、必ずしも全てが同一の実施形態又は例に言及するものではない。更には、特定の特徴、構造又は特性は、１つ又は複数の実施形態又は例において、任意の適切な組み合わせ及び／又はサブコンビネーションにおいて組み合わされ得る。加えて、本明細書に提示の図は、当業者への説明のためのものであり、図面が必ずしも縮尺して描かれていないと理解される。
【００５４】
フローチャート及びフローチャートにおけるブロック図は、本発明の様々な実施形態に係るシステム、方法及びコンピュータープログラム製品の候補の実施のアーキテクチャー、機能及び動作を示す。この点について、フローチャートの各ブロック又はブロック図は、特定の論理機能（群）を実施するための１つ又は複数の実行可能な指令を備えるコードのモジュール、セグメント又は部分を表し得る。ブロック図及び／又はフローチャート図における各ブロック、及びブロック図及び／又はフローチャート図におけるブロックの組み合わせは、特定の機能又は動作を実行する特定目的ハードウェア基準のシステム、又は特定目的ハードウェア及びコンピューター指令の組み合わせにより実施され得ることにも留意されたい。
【図１】
2020523741.tif 000003
【図２】
2020523741.tif 000004
【図３】
2020523741.tif 000005
【図４】
2020523741.tif 000006
【図５】
2020523741.tif 000007
【図６】
2020523741.tif 000008
【図７】
2020523741.tif 000009
【図８】
2020523741.tif 000010
【図９】
2020523741.tif 000011
【国際調査報告】
2020523741.tif 000012